(57)【要約】本発明は、前面ハウジングと上記前面ハウジングの後面に結合される後面ハウジングを含んで構成されるハウジング、上記前面ハウジングの所定の面積に結合されて、多数のブラシが備えられるブラシ部、上記ブラシ部の前面に構成されて染色薬が排出される塗布モジュール、上記ハウジングの一側に構成されて染色薬容器の圧力を開放させて染色薬が塗布されるように使用者から操作されるし、上記ハウジングの内側に設けられたガイド溝に結合されて操作流動範囲をガイドするためのガイド部が一体と構成された操作部、及び上記染色薬容器の出力端と接触して上記操作部と一体と流動しながら圧力開放時に染色薬を発泡するメッシュフィルター(mesh filter)を含み、上記ハウジングは上記染色薬容器と結合されて染色薬を供給され、上記ハウジングは上記染色薬容器の長手方向を基準にして直線上所定の曲率を有するように備えられることを特徴とする。【選択図】図２
2016500294.tif 000002
【特許請求の範囲】
【請求項１】
前面ハウジングと上記前面ハウジングの後面に結合される後面ハウジングを含んで構成されるハウジング；
上記前面ハウジングの所定の面積に結合され、多数のブラシが備えられるブラシ部；
上記ブラシ部の前面(front)に構成されて染色薬が排出される塗布モジュール；
上記ハウジングの一側に構成され、染色薬容器の圧力を開放させて染色薬が塗布されるように使用者から操作され、上記ハウジングの内側に設けられたガイド溝に結合されて操作流動範囲をガイドするためのガイド部が一体と構成された操作部；及び
上記染色薬容器の出力端と接触して上記操作部と一体に流動しながら圧力開放時に染色薬を発泡させるメッシュフィルター；を含み、
上記ハウジングは上記染色薬容器と結合されて染色薬を供給され、上記ハウジングは上記染色薬容器の長手方向を基準にして直線上所定の曲率を有するように備えられる毛髪の泡沫染色装置。
【請求項２】
上記ハウジングは、
上記染色薬容器の幅を基準にして、幅の二倍の広さにあたる半径以下の範囲内で曲率を有することを特徴とする、請求項１に記載の毛髪の泡沫染色装置。
【請求項３】
上記前面ハウジングと後面ハウジングは、
多数のはめ込み部を構成してはめ込み結合されることを特徴とする、請求項１に記載の毛髪の泡沫染色装置。
【請求項４】
上記ブラシ部は、
ブラシ部のはめ込み溝が設けられた上記前面ハウジングの所定の面積にはめ込み結合されることを特徴とする、請求項１に記載の毛髪の泡沫染色装置。
【請求項５】
上記前面ハウジングと後面ハウジングは、
結合する時、最下端部を包むオリングがさらに備えられることを特徴とする、請求項１に記載の毛髪の泡沫染色装置。
【請求項６】
上記塗布モジュールは、
上記染色薬容器から供給される染色薬を流路管を通じて供給されて塗布するために、塗布モジュールの表面に流路が形成された多数のブラシを通じて染色薬を塗布することを特徴とする、請求項１に記載の毛髪の泡沫染色装置。
【請求項７】
上記ハウジングは、
上記染色薬容器とねじ結合されて組み立てられ、組み立てる時に染色薬容器の出力端が上記操作部と一体に形成された空間部によって圧力を制御されて、操作部の操作時、圧力を解除して染色薬を供給することを特徴とする、請求項１に記載の毛髪の泡沫染色装置。
【請求項８】
上記操作部は、
使用者の操作時、上記ガイド溝に沿ってガイドされるガイド部によって染色容器に垂直な方向へ圧力を提供することを特徴とする、請求項１に記載の毛髪の泡沫染色装置。
【請求項９】
上記ブラシ部は、
円筒形状の第１ブラシと楕円形柱状の第２ブラシが混在して構成されることを特徴とする、請求項１に記載の毛髪の泡沫染色装置。
【請求項１０】
上記操作部は、
上記前面ハウジングと後面ハウジングの結合によって形成される上記ハウジングの内部空間に備えられるボディーと、上記ハウジングの外側に突出されるように備えられるノブと、使用者の操作力を提供されるノブを通じて操作方向性をガイドするガイド部が一体と形成され、
上記ガイド部は操作部の上/下断面を基準にしてノブの上部側へ延長して形成されて上記操作部の移動をガイドし、上記ボディーの内側面には上記流路管と繋がる第１空間部と、上記メッシュフィルターが収容される第２空間部と、上記操作部が下向きに移動すれば上記染色薬容器の出力端を加圧して染色薬が出力できるように出力端と接する第３空間部が備えられることを特徴とする、請求項１又は請求項８に記載の毛髪の泡沫染色装置。
【請求項１１】
前面ハウジングと上記前面ハウジングの後面に結合される後面ハウジングを含んで構成されるハウジング；
上記前面ハウジングの所定の面積に結合され、多数のブラシが備えられるブラシ部；
上記ブラシ部の前面から任意の距離に当たる上記ブラシの長さを制限できるように所定の厚さを持って上記ブラシ部の前面に結合され、それぞれ異なる厚さを持つ、少なくとも一つ以上のアダプター；
上記ブラシ部の前面(front)に構成されて染色薬が排出される塗布モジュール；
上記ハウジングの一側に構成され、染色薬容器の圧力を開放させて染色薬が塗布されるように使用者から操作され、上記ハウジングの内側に設けられたガイド溝に結合されて操作流動範囲をガイドするためのガイド部が一体と構成された操作部；及び
上記染色薬容器の出力端と接触して上記操作部と一体に流動しながら圧力開放時に染色薬を発泡するメッシュフィルター；を含み、
上記ハウジングは上記染色薬容器と結合して染色薬を供給され、上記ハウジングは上記染色薬容器の長手方向を基準にして直線上所定の曲率を有するように備えられる塗布機能が改善された毛髪の泡沫染色装置。
【請求項１２】
上記アダプターは、
所定の大きさのボディーに上記ブラシに対応されるように形成されたホールと、
上記塗布モジュールから吐出される染色薬を吐出させる塗布口；を含んで構成される、請求項１１に記載の塗布機能が改善された毛髪の泡沫染色装置。
【請求項１３】
上記アダプターは、
上記ブラシ部の周りにはめ込み結合される構造を持つことを特徴とする、請求項１１に記載の塗布機能が改善した毛髪の泡沫染色装置。
【発明の詳細な説明】
【技術分野】
【０００１】
本発明は毛髪の泡沫染色装置に関するものであって、さらに詳細には、使用者の把持時、構造的に髪への接近性が非常に優秀で、構造の特性上、操作が非常に容易である毛髪の泡沫染色装置に関する。
【背景技術】
【０００２】
一般的に、染色薬液は色相を有する染毛剤と酸化剤を混合して毛髪に塗ることで上記毛髪が発色されるようにしたものである。
【０００３】
上記染色薬液は、初期染毛剤と酸化剤がそれぞれの容器に入った状態で別途に構成されていることにつれ、染毛剤と酸化剤を互いに混合したり別途の混合容器にそれぞれの染毛剤と酸化剤を一定の割合に混合して使う。
【０００４】
上記のように混合された染色薬液を櫛や噴霧ブラシを利用して毛髪に塗りながら染色する。しかし、上記毛髪を染色するためにそれぞれの容器に入った染毛剤と酸化剤を別途に混合して使うことは勿論、上記混合された染色薬液を噴霧ブラシを利用して毛髪を染色するので、毛髪染色の作業がとても煩わしいだけでなく、毛髪染色のための準備時間がかなりかかる問題があった。
【０００５】
また、染色する者が毛髪染色の準備過程において、それぞれの容器に入った染毛剤と酸化剤を概ねその量を調節することで、染色で一番重要であると言える一定の配合割合を合わせにくいだけでなく、これによる毛髪の染色色相も均一に維持されない問題があった。
【０００６】
また、毛髪染色に必要な量だけを調節して使うことが困難である点から使い残しの混合染色薬液を捨てることになり、経済的費用の追加及び環境汚染などの問題があった。
【０００７】
以後、このような問題点を解決するために、別途の容器に入った染毛剤と酸化剤を一つのケース内に収納すると同時に、ポンピングの形で混合噴射されるようにすることで、いちいち泡立てる必要が全然なく、迅速かつ簡便に染色できるようにした染毛剤の混合噴霧装置が提示されたことがある。すなわち、染毛剤と酸化剤が入ったそれぞれの容器を同時に収納して支持するための収納部と保管溝を持つケースと、上記ケースに収納された各容器に着脱されて押え板の加圧操作によって各容器のノズルを通じて噴出される染毛剤と酸化剤を同時に混合噴射するための噴霧手段と、上記噴霧手段を保護するためにケースに着脱可能な蓋から構成される。これは、同時に混合して噴霧する效果はあるが、染毛剤と酸化剤の混合割合を正確に調節できない問題点があった。
【０００８】
最近、このような問題点を解決するために、予め容器に染毛剤と酸化剤が適正割合で混合された後、泡の形態で噴射される泡型染色機が提示されたことがある。
【０００９】
しかし、上記泡型染色機の場合にも噴射された泡を手で受け取った後、これを櫛または手で髪に塗ることになって泡が落下する問題、または泡が髪の他に顔などに流れ落ちるようになる問題点があった。
【００１０】
このような従来の問題点を解決するために、本出願人は韓国登録特許“第１０-１１２９２３０号”を出願した。
【００１１】
図１は本出願人が出願した発明であって、その構成をよく見ると、内部に染毛剤と酸化剤が混合された染色薬液を保存するケース１１、上記ケース１１の上側に位置して押す時、上記染色薬液を泡の形態で噴射する押しボタン１２、上記押しボタン１２の一側に提供されて泡を噴射する泡沫噴射口１３を持つ泡染色機１０と、上記泡染色機１０のケース１１が挿入されるように収容空間２１が形成されたホルダー２０と、上記収容空間２１をカバーしながら上記ホルダー２０に分離できるように固定され、上記押しボタン１２の上面を支持するようになって、一側に多角の結合孔３１が形成されたカバー３０と、一側に上記結合孔３１に回転防止状態で分離できるように結合される多角の連結口４１が備えられるし、他側に多数のくしの歯４２が等間隔に形成され、内側に一つの入口と多数分岐の出口を有する吐出孔が形成される。また、入口は上記泡沫噴射口１３と分離できるように繋がり、出口はくしの歯の間に位置される結合用櫛４０と、上記ホルダー２０の収容空間２１の下部に位置されて上記泡染色機１０の底面を支持する昇降板、上記昇降板が上下に昇下降できるように上記昇降板の底面の中心に突出されたガイドを案内するガイドホールを持つ支持部、上昇された上記昇降板が初期状態に復帰できるように弾性力を提供するスプリング、上記ホルダー２０の下部から外部で露出されるように結合されて、上記ガイドを押すようになった噴射ボタンを含んで構成される。
【００１２】
しかし、上記のように構成される従来の構造的特徴において、使用者が染色用くしを把持した後、毛髪に接近させて染色をしなければならないが、本出願人が提案した染色櫛の場合、ボディー体構造から顕著に突出された結合用櫛が使用者の染色モーションと毛髪接近に非常に分離した構造を持っている短所がある。染色をするためには毛髪くまなく染色薬を塗布せざるを得ないことが使用者の立場で一番重要な部分である。しかし、構造が不便な場合、染色モーションがぎこちなくて、より確実に染色が不可能な短所がある。
【００１３】
また、上記特許の場合、染色薬を塗布するためにボタンを操作するようになるが、ボディーの長手方向を基準にして垂直であるように操作するボタンを用意した。このようなボタン操作の構造においても使用者がくしけずりを実施すると同時に、垂直方向に操作されるボタンの構造は不便さを伴うため、結果的に安定的で優秀な染色具現が難しい短所がある。
【発明の概要】
【発明が解決しようとする課題】
【００１４】
上記のような問題点を解決するための本発明は、毛髪の泡沫染色装置の構造全体が使用者の把持時に毛髪への接近性を向上させ、染色薬の塗布操作が構造的に安定された毛髪の泡沫染色装置を提供することにその目的がある。
【００１５】
また、本発明は使用者の髪の特性(短い髪と長い髪)に応じて、くしけずりの時染色薬が效果的に拡散できる塗布機能が改善された毛髪染色装置を提供することに目的がある。
【課題を解決するための手段】
【００１６】
上記のような目的を果たすための本発明は、前面ハウジングと上記前面ハウジングの後面に結合される後面ハウジングを含んで構成されるハウジング、上記前面ハウジングの所定の面積に結合されて、多数のブラシが備えられるブラシ部、上記ブラシ部の前面に構成されて染色薬が排出される塗布モジュール、上記ハウジングの一側に構成されて染色薬容器の圧力を開放させて染色薬が塗布されるように使用者から操作されるし、上記ハウジングの内側に備えられたガイド溝に結合されて操作流動範囲をガイドするためのガイド部が一体と構成された操作部、及び上記染色薬容器の出力端と接触して上記操作部と一体と流動しながら圧力開放時に染色薬を発泡するメッシュフィルター(mesh filter)を含み、上記ハウジングは上記染色薬容器と結合されて染色薬を供給され、上記ハウジングは上記染色薬容器の長手方向を基準にして直線上所定の曲率を有するように備えられることを特徴とする。
【００１７】
また、上記ハウジングは、上記染色薬容器の幅を基準にして幅の二倍の広さにあたる半径以下の範囲内で曲率を有することを特徴とする。
【００１８】
また、上記前面ハウジングと後面ハウジングは、多数のはめ込み部を構成してはめ込み結合されることを特徴とする。
【００１９】
また、上記ブラシ部は、ブラシ部のはめ込み溝が備えられた上記前面ハウジングの所定の面積にはめ込み結合されることを特徴とする。
【００２０】
また、上記前面ハウジングと後面ハウジングは、結合時に最下端部を包むオリングがさらに備えられることを特徴とする。
【００２１】
また、上記塗布モジュールは、上記染色薬容器から供給される染色薬を流路管を通じて供給されて塗布するために、塗布モジュールの表面へ流路が形成された多数のブラシを通じて染色薬を塗布することを特徴とする。
【００２２】
また、上記ハウジングは、上記染色薬の容器とねじ結合されて組み立てられ、組み立てる時に染色薬容器の出力端が上記操作部と一体と形成された空間部によって圧力を制御され、操作部の操作時に圧力を解除して染色薬を供給することを特徴とする。
【００２３】
また、上記操作部は、使用者の操作時上記ガイド溝に沿ってガイド(guide)されるガイド部によって染色容器に垂直方向へ圧力を与えることを特徴とする。
【００２４】
また、本発明は前面ハウジングと上記前面ハウジングの後面に結合される後面ハウジングを含んで構成されるハウジング、上記前面ハウジングの所定の面積に結合され、多数のブラシが備えられるブラシ部、上記ブラシ部の前面から任意の距離に当たる上記ブラシの長さを制限するために所定の厚さを有して上記ブラシ部の前面に結合され、それぞれ異なる厚さを有する少なくとも一つ以上のアダプター、上記ブラシ部の前面(front)に構成されて染色薬が排出される塗布モジュール、上記ハウジングの一側に構成され、染色薬容器の圧力を開放させて染色薬が塗布されるように使用者から操作され、上記ハウジングの内側に設けられたガイド溝に結合されて操作流動範囲をガイドするためのガイド部が一体と構成された操作部、及び上記染色薬容器の出力端と接触して上記操作部と一体に流動しながら圧力開放時に染色薬を発泡させるメッシュフィルターを含み、上記ハウジングは上記染色薬容器と結合して染色薬を供給され、上記ハウジングは上記染色薬容器の長手方向を基準にして直線上所定の曲率を有するように備えられることを特徴とする。
【００２５】
また、上記アダプターは、所定の大きさのボディーに上記ブラシに対応されるように形成されたホールと、上記塗布モジュールから吐出される染色薬を吐出する塗布口；を含んで構成される。
【００２６】
また、上記アダプターは、上記ブラシ部の周りにはめ込み結合される構造を有することを特徴とする。
【発明の效果】
【００２７】
上記のように構成及び作用される本発明は、構造的にその形状を提案することで使用者が染色するためにくしけずる時、くしけずりの容易性と操作の容易性に效果がある。
【００２８】
特に、本発明は所定の曲率を有するハウジングの形状によって毛髪染色時に使用者のモーションによる毛髪への接近性が非常に優秀で、均一(unifomity)な染色を実現できる長所がある。
【００２９】
また、本発明は使用者が染色薬を塗布するために操作部を操作する時、染色容器に対して安定的な圧力をかけて染色薬が出力されるように操作部の構造的特性を改善することによってモーションの最適化に伴って安定的に塗布できることを特徴とする。
【００３０】
また、本発明は選択的に装着されてブラシの長さを拘束することができ、ヘアの特性が多様な使用者に效率的に適用可能な長所がある。
【図面の簡単な説明】
【００３１】
【図１】従来技術による染色櫛の概略的な構成図。
【図２】本発明による毛髪の泡沫染色装置の概略的な構成図。
【図３】本発明による毛髪の泡沫染色装置の断面図。
【図４】本発明による毛髪の泡沫染色装置の断面斜視図。
【図５】本発明による毛髪の泡沫染色装置のブラシ部を拡大した正面図。
【図６】図５の側面図。
【図７】本発明による他の実施例で染色装置に適用されるアダプターを示した側面図。
【図８】本発明によるアダプターの前面斜視図と後面斜視図。
【図９】アダプターが装着された状態を示したブラシ部の斜視図。
【図１０】アダプターが装着されたブラシ部の側面図。
【図１１】図５の後面図。
【図１２】本発明による毛髪の泡沫染色装置の前面ハウジングを示した図面。
【図１３】本発明による毛髪の泡沫染色装置の後面ハウジングを示した図面。
【図１４】本発明によるハウジングとブラシ部の分解図。
【図１５】本発明による操作部の斜視図。
【図１６】本発明による操作部の断面図。
【図１７】本発明による染色装置と染色薬容器の分解図。
【図１８】本発明による染色装置の曲率半径を説明するための図面。
【発明を実施するための形態】
【００３２】
以下、添付された図面を参照して本発明による毛髪の泡沫染色装置の好ましい実施例を詳しく説明すると次のとおりである。
【００３３】
本発明による毛髪の泡沫染色装置は、前面ハウジングと上記前面ハウジングの後面に結合される後面ハウジングを含んで構成されるハウジング、上記前面ハウジングの所定の面積に結合され、多数のブラシが備えられるブラシ部、上記ブラシ部の前面に構成されて染色薬が排出される塗布モジュール、上記ハウジングの一側に構成され、染色薬容器の圧力を開放して染色薬が塗布されるように使用者が操作し、上記ハウジングの内側に設けられたガイド溝に結合されて操作流動範囲をガイドするためのガイド部が一体と構成された操作部、及び上記染色薬容器の出力端と接触して上記操作部と一体と流動しながら圧力開放時に染色薬を発泡するメッシュフィルターを含み、上記ハウジングは上記染色薬容器と結合されて染色薬を供給され、上記ハウジングは上記染色薬容器の長手方向を基準にして直線上所定の曲率を有するように備えられることを特徴とする。
【００３４】
本発明による毛髪の泡沫染色装置は、前面ハウジング１１０と後面ハウジング１２０から構成されるハウジング１００、上記ハウジングに結合されて染色薬を毛髪に塗布してブラッシング(brushing)を具現するブラシ部２００、染色薬を塗布するために使用者から操作力を提供される操作部３００、染色薬を収容して上記ハウジングで染色薬を供給するためにハウジングに結合される染色薬容器４００を含んで構成されることを本発明の主な技術的要旨とする。この時、本発明の最も大きい技術的要旨は、上記ハウジングは所定の曲率を有するように構成されることを特徴とする。
【００３５】
次に、本発明に添付された図面を通じて本発明をより具体的に説明する。
【００３６】
図２は本発明による毛髪の泡沫染色装置の概略的な構成図である。毛髪の泡沫染色装置は図面に示したように略長い形状を有し、先端部側にはハウジング前面で毛髪をブラッシングできるブラシ部２００が備えられており、下端側には染色装置を把持すると同時に染色薬が収容されている染色薬容器４００が備えられている。すなわち、ハウジングの下端部に染色薬容器が結合されることで一つの染色装置が構成される形態を持つのである。
【００３７】
後でより詳しく説明するが、上記ハウジング１００は前面ハウジングと後面ハウジングと分割構成されており、前面ハウジングの前面にブラシ部が結合される構造を持っていて、二つのハウジングが結合された内部には染色薬容器から提供される流路管２３０と染色薬塗布を決定する操作部３００が収容される空間が設けられる。
【００３８】
図３は本発明による毛髪の泡沫染色装置の断面図、図４は本発明による毛髪の泡沫染色装置の断面斜視図である。
【００３９】
前にも言及したように、ハウジングの内部には流路管２３０と操作部３００を収容する空間を設けたまま前面ハウジングと後面ハウジングが結合され、前面ハウジングで上記ブラシ部２００がはめ込み結合される。
【００４０】
ここで、上記前面ハウジングと後面ハウジングの所定の曲率を有するように形成される。これは後でより具体的に説明するが、使用者が染色するために把持した場合、毛髪への接近性を向上するために構造的に改善されたもので、再び説明する。
【００４１】
図５は本発明による毛髪の泡沫染色装置のブラシ部を拡大した正面図、図６は図５の側面図である。
【００４２】
上記ブラシ部２００は染色をしようとする毛髪にブラッシングをするための構成であって、ブラシ部表面の多数のブラシが用意され、ブラシ部の前面(front)中央には染色薬を供給されて塗布する塗布モジュール２２０が組み立てられている。上記塗布モジュールにも多数のブラシが設けられており、該当ブラシには染色薬を塗布することができるように誘導炉がそれぞれ設けられたブラシにあたり、流路管と繋がってブラシの端を通じて染色薬が流れ出るようになる。中央に構成された塗布モジュールを通じて染色薬が塗布されると同時にブラッシングすれば、ブラシ部に構成された他のブラシによって均一に染色薬が毛髪に塗布される。
【００４３】
一方、上記ブラシは第１ブラシ２１０と第２ブラシ２２０から構成される。上記第１ブラシは円柱形状のブラシであり、第２ブラシは楕円形柱状のブラシである。上記第２ブラシは楕円形状が対角線方向を有するように構成され、くしけずることになると、塗布された染色薬をより均一に毛髪に分散するので、より效果的である。
【００４４】
図７は本発明による他の実施例で染色装置に適用されるアダプターを示した側面図、図８は本発明によるアダプターの前面斜視図と後面斜視図、図９はアダプターが装着された状態を示したブラシ部の斜視図、図１０はアダプターが装着されたブラシ部の側面図である。
【００４５】
本発明による他の主要技術的要旨によって、上記ブラシ部にはブラシの長さを拘束することができるアダプター２５０が選択的に結合されてブラシの長さを拘束することで髪の毛の状態や長さに応じて染色薬をより均等にくしけずると同時に分布されるように手伝う。
【００４６】
上記アダプター２５０は所定の大きさのボディーを持ち、その面積はおおよそブラシ部とブラシが形成された面積と対応して上記ブラシにはめ込み結合されることができる構造を有する。ボディーの表面では上記ブラシと対応してアダプターがはめ込み結合される時ブラシが貫通できるようにホール２５１が設けられており、中央には上記塗布モジュールから導出される染色薬を外側へ排出させられるように塗布口２５２が設けられている。上記塗布口は塗布モジュールの位置と対応するため染色薬を外部へ排出させる。
【００４７】
一方、上記アダプターの底面は、ブラシ部の端にはめ込み結合されることができるように内側へ凹溝が形成された構造を持って結合される。この時、上記アダプターが所定の厚さを有するので結合する時、ブラシの長さを拘束する。ブラシの長さが長い場合は長い髪に有利であり、短い髪の場合は短い構造のブラシが容易であろう。よって、上記アダプターは結果的にブラシの長さを拘束して使用者の髪(hair)の特性に応じて染色薬が效率的に分布されるように手伝う。
【００４８】
すなわち、ブラシ部の前面から所定の長さを制限して結果的にブラシの長さを制限できるように所定の厚さを持つことにで、使用者のヘア特性に応じて染色薬の塗布を效率的に実現することができる。
【００４９】
また、長い髪を持つ使用者の場合、上記アダプターを容易に分離して元のブラシを使うことで、特に女性使用者が效果的に使用できる。このような構造のアダプターは多様な厚さに備えられ、使用者のヘアの特性によってブラシの長さを適切に拘束し、效果的に染色することができる。
【００５０】
図１１は図５の後面図である。上記ブラシ部２００は染色をしようとする毛髪にブラッシングを実施するための構成であって、ブラシ部表面に多数のブラシが設けられ、ブラシ部の前面(front)中央には染色薬を供給されて塗布する塗布モジュール２２０が組み立てられている。上記塗布モジュールは同じく多数のブラシが設けられており、該当ブラシには染色薬を塗布することができるように誘導炉がそれぞれ設けられたブラシにあたり、流路管と繋がってブラシの端を通じて染色薬が流れ出るようになる。中央に構成された塗布モジュールを通じて染色薬が塗布されると同時にブラッシングを実施すると、ブラシ部に構成された他のブラシによって均一に染色薬が毛髪に塗布される。
【００５１】
一方、上記ブラシは第１ブラシ２１０と第２ブラシ２２０から構成される。上記第１ブラシは円柱形状のブラシであり、第２ブラシは楕円形柱状のブラシである。上記第２ブラシは楕円形の形状が対角線方向を持つように構成され、くしけずると塗布された染色薬をより均一に毛髪に分散させるので、より效果的である。
【００５２】
また、上記前面ハウジングにはめ込み結合されるブラシ部の周りに沿って前面ハウジングに設けられたはめ込み部１１１にはめ込み結合されることができるはめ込み部２４０が多数個備えられていて組み立てる時、ブラシ部を単純にはめ込んで組立てられるので工程の容易性を向上させる。
【００５３】
また、図１１で見ると、ブラシ部の中央には前に説明した塗布モジュールが結合されることができるようにホールが設けられていて、ここに挿入して設置され、具体的には図示しなかったが、ブラシ部の後面に挿入されて前面には離脱されないように構造的に設計された形態である。
【００５４】
また、上記塗布モジュールを説明するにあたり、染色薬の特性によって染色薬が経過される場合、塗布モジュールを入れ替ることで染色装置の耐久性を向上する構造を説明したが、これに限定されない。上記塗布モジュールはブラシ部と一体と構成することができ、流路管を通じて染色薬を供給する構造という、如何なる形態でもできる。
【００５５】
図５で見ると、本発明による塗布モジュールには２つの出口があって、染色薬が導出される構造を持つ。これは染色薬が高い圧力によって過度に導出されることを防止するために２つの部分へ分散させて出力される構造を持つようになる。また、両方へ形成された出口は高い圧力を分散させられるだけでなく、構造的にブラシ部の面積に染色薬を包括的に提供することによって結果的にブラシ部へ均一に染色薬が供給され、繋がるブラッシングを通じて２次的に毛髪に均等に染色薬を供給できるようになる。
【００５６】
図１２は本発明による毛髪の泡沫染色装置の前面ハウジングをより具体的に説明する。図面では順番に前面図、側面図、後面図を示しており、前面をよく見ると上記ブラシ部がはめ込み結合されることができるようにブラシ部のはめ込み部１１２の周りに沿って多数個が形成されている。側面図をよく見ると、一定の曲率を有する形状を有しており、同じく後面ハウジングとはめ込み結合されることができるようにはめ込み部１１１が設けられた形態である。下端部の内週面では染色薬と結合する時、ねじ結合して容易に着脱できるようにねじ線が加工された構造が分かる。このように上記前面ハウジングは一般的にプラスチック系列の合成樹脂を射出成型して製作されることが好ましい。
【００５７】
図１３は本発明による毛髪の泡沫染色装置の後面ハウジングを示した図面である。同じく前面、側面、背面を順に示しており、上記前面ハウジングのはめ込み部１１１が結合されることができるはめ込み部１２１が設けられていて、前面ハウジングと後面ハウジングが結合される構造を持つ。
【００５８】
また、同じく側面図で見ると前面ハウジングと同じ曲率を有するように構成され、下部側には操作部３００のノブが外側に突出されるようにホール(部号なし)が形成されている。このホールを通じてハウジング内部で結合される操作部３００のノブ３１０が外部に突出される。
【００５９】
図１４は本発明によるハウジングとブラシ部の分解図である。前に説明したように、前方から順に、ブラシ部、前面ハウジング、後面ハウジングがはめ込み結合によって順次に結合されることで、染色装置のハウジングが構成される。
【００６０】
図１５は本発明による操作部の斜視図、図１６は本発明による操作部の断面図である。
【００６１】
本発明では染色薬を塗布させるために、ハウジングと結合された染色薬容器は内部に所定の圧力を有することによって一般的な充填容器のように出力端を加圧すれば圧力によって内部の充填物質が外部へ出力される構造を持つ。この時、本発明では染色薬容器の内部圧力を解除するために、ハウジングに設けられた操作部３００を垂直方向へと下向きに操作して染色薬容器内部の染色薬を外部へ排出させる。
【００６２】
この時、使用者が染色するためにブラッシングを具現すると同時に、容器を把持しながら操作部を操作しなければならないので、より安定的に操作を具現するために本発明の操作部は大きくボディー３０１とノブ３１０、ガイド３２０、メッシュフィルター(mesh filter；３３０)から構成される。
【００６３】
まず、ノブは後面ハウジングの外側に突出されて使用者が手で操作できる構成にあたる。また、操作部は染色薬容器の出力端と接触して操作力を通じて出力端の圧力を開放すると同時に、染色薬容器から出力される染色薬を発泡させるためのメッシュフィルター(mesh filter；３３０)が設けられており、操作部の下端部が容器の出力端に接するようになって内部は貫通された構造であり、出力端を加圧できる構造で構成され、染色薬が出力されると操作部の上端に繋がった流路管へ染色薬を供給することになる。
【００６４】
この時、使用者がノブを下向きに操作する場合、出力端に垂直した方向へ圧力を与えるために操作部の一側にはガイド３２０が、上記ガイドは後面ハウジングに設けられたガイド溝１３１に挿入結合される構造であって、操作部を下向きに操作する場合、使用者の操作力の方向が多少乱れても上記ガイドによって安定的に加圧することができるため、ブラッシングモーションに全然干渉されず、安定的な加圧を具現することで染色薬をとても均等に塗布することができることを特徴とする。
【００６５】
上記操作部をより具体的に説明すると、操作される方向、すなわち、使用者の手から下向きに操作される構造において、下向きの操作力に対して構造的に操作部の方向性が乱れることを防ぐために断面上ノブより高い上部側を向けて長手形状で構成されている。
【００６６】
また、操作部は染色薬を発泡させるためのメッシュフィルターと器具的結合のための多数の空間部がボディー３０１に構成される。上端から流路管と繋がる第１空間部３４０、メッシュフィルター３３０が挿入される第２空間部３５０、染色薬容器の出力端と向い合う第３空間部３５０が順に形成されていて、その直径は多段拡管される構造を持つ。第１空間部は第２空間部より小さくて、第２空間部は第３空間部より小さい。上記メッシュフィルターを通過する染色薬が発泡されて第１空間部を通じて流路管へ伝達される。ここで、上記第１空間部の内径はメッシュフィルターの直径より小さい。よって、メッシュフィルターを通じて発泡された染色薬は圧力が低い第１空間部を通過しながら流速が速くなるので、素早く染色薬を塗布モジュールへ伝達させることになる。
【００６７】
また、上記第３空間部は染色薬容器の出力端と接触して操作部が流動すれば一体に連動しながら出力端を加圧することで染色薬が外部に出るようにする。
【００６８】
したがって、本発明によって構成された染色装置は、操作の安全性を提供することで瞬間的に染色薬がたくさんまたは少なく出ることを防止し、均一(uniformity)な染色が可能な長所がある。
【００６９】
図１７は本発明による染色装置と染色薬容器の分解図である。染色薬塗布とともにブラッシングが可能なハウジングの下部に設けられたねじ結合部に既に用意された染色薬容器４００を結合させると染色の準備が終わる。
【００７０】
一方、本発明による前面ハウジングと後面ハウジングの下端部には、外周面を包むことができるオリング１３０がさらに構成される。上記オリングは、はめ込み結合されるハウジングに絞る圧力を提供することで構造体の組み立ての安全性を向上する。
【００７１】
図１８は本発明による染色装置の曲率半径を説明するための図面である。本発明による主な技術的要旨の一つとして、染色装置は所定の曲率を有して構成され、使用者が染色するためのブラッシングを実施する時に身体モーションによってブラシ部の毛髪接近性を最適化することができるように曲率を有する。これは染色薬容器の長手方向を基準にして、垂直の方向でハウジングの幅、または容器の幅の二倍以上を超えない範囲内で最先端のブラシが位置する範囲を有する。
【００７２】
具体的に、ハウジングまたは容器の幅をＤとすると、Ｄ幅の二倍にあたるｄはＤ*２はＤより小さい、または同じである。すなわち、ブラシの最先端がｄＤ*２を満たす範囲内で曲率を有することを特徴とする。
【００７３】
以上、本発明の原理を例示するための好ましい実施例に関連して説明し、図示したが、本発明はそのように図示及び説明されたとおりの構成及び作用には限定されない。むしろ、添付された請求範囲の思想及び範疇を逸脱することなく、本発明に対する多数の変更及び修正が可能であることを当業者はよく理解できるのであろう。よって、そのような全ての適切な変更及び修正と均等物も本発明の範囲に属するものと見做さなければならない。
【図１】
2016500294.tif 000003
【図２】
2016500294.tif 000004
【図３】
2016500294.tif 000005
【図４】
2016500294.tif 000006
【図５】
2016500294.tif 000007
【図６】
2016500294.tif 000008
【図７】
2016500294.tif 000009
【図８（Ａ）】
2016500294.tif 000010
【図８（Ｂ）】
2016500294.tif 000011
【図９】
2016500294.tif 000012
【図１０】
2016500294.tif 000013
【図１１】
2016500294.tif 000014
【図１２】
2016500294.tif 000015
【図１３】
2016500294.tif 000016
【図１４】
2016500294.tif 000017
【図１５】
2016500294.tif 000018
【図１６】
2016500294.tif 000019
【図１７】
2016500294.tif 000020
【図１８】
2016500294.tif 000021
【国際調査報告】
2016500294.tif 000022
2016500294.tif 000023
2016500294.tif 000024
2016500294.tif 000025
2016500294.tif 000026
2016500294.tif 000027